(57)【要約】      （修正有）【課題】多段式に伸縮する内管構造を備え、各種の銃の形状に組み合わせることができ、銃内部の空間を節約し、銃の形状上の制限を受けにくい銃のレバー内管伸縮構造の提供。【解決手段】レバーつまみ、弾性外管、伸縮内管、突起柱体、座体、銃身保護蓋、安全装置、調整装置から構成され、該レバーつまみは固定栓及びバネにより弾性外管の嵌設槽内に設置され、且つ、該レバーつまみは、銃身のスライド槽を通過して穿置され、弾性外管を後方へ引いたとき該スライド槽の固定部内に固定することができ、該弾性外管内に伸縮内管を設け、該伸縮内管の両側に支持体を設け、うち１つの支持体上に該銃身保護蓋を固定するバネを設置し、該伸縮内管内にさらに突起柱体と座体を設置し、該銃身保護蓋に該安全装置に設けたフック部に対応する掛止槽を設け、且つ、該銃身保護蓋内にさらに調整装置を設置し、該調整装置上に弾道を調整するための調整スイッチを設ける。【選択図】図３
0003114713.tif 000002
【実用新案登録請求の範囲】
【請求項１】
主にレバーつまみ、弾性外管、伸縮内管、突起柱体、座体、銃身保護蓋、安全装置、調整装置から構成され、そのうち、該レバーつまみは固定栓及びバネにより弾性外管の嵌設槽内に設置され、且つ、該レバーつまみは、銃身のスライド槽を通過して穿置され、弾性外管を後方へ引いたとき該スライド槽の固定部内に固定することができ、該弾性外管内に伸縮内管を設け、且つ、該伸縮内管の両側に支持体を設け、そのうち１つの支持体上にさらに該銃身保護蓋を固定するバネを設置し、該伸縮内管内にさらに突起柱体と座体を設置し、該銃身保護蓋に該安全装置に設けたフック部に対応する掛止槽を設け、且つ、該銃身保護蓋内にさらに調整装置を設置し、該調整装置上に弾道を調整するための調整スイッチを設けたことを特徴とする銃のレバー内管伸縮構造。
【考案の詳細な説明】
【技術分野】
【０００１】
本考案は、銃のレバー内管伸縮構造に関し、主に弾性外管、伸縮内管、突起柱体、座体を利用し、多段式伸縮機能を備えた内管とするもので、そのうち、該弾性外管は嵌設槽を備え、且つこの嵌設槽内にレバーつまみを設置し、このレバーつまみが銃身のスライド槽から穿出され、弾性外管を後方へ引いたとき、銃身のスライド槽の固定部内に掛止することができ、該伸縮内管、突起柱体、座体間に銃身保護蓋が設置され、且つ、該銃身保護蓋に該安全装置に設けたフック部に対応する掛止槽を設け、上述の弾性外管に伸縮内管を設置すると、銃身保護蓋が同時に後方へ移動し、この銃身保護蓋内に設置された調整装置が外部に露出され、この調整装置上の調整スイッチで使用者が銃弾発射時の弾道を調整することができる、銃のレバー内管伸縮構造に関する。
【背景技術】
【０００２】
図１及び図２に示すように、従来の銃の内管Ａは、銃の内管Ａ上にレバーＡ１設置が設置され、且つ、このレバーＡ１は内管Ａの嵌設槽Ａ２内に嵌置されており、また、この内管Ａの内部に弾性的に伸縮するバネＡ３を設け、このバネＡ３は銃身後端部の座体Ａ４に対応し、該レバーＡ１で内管Ａを後方へ引いたとき、このレバーＡ１は銃身の滑動槽Ａ５内に固定することができ、内管Ａを銃身内部の収容槽Ａ６にいれると、内管Ａが銃身の後端部内部に固定される。
【０００３】
しかしながら、銃の内管Ａは設置時に銃内部の空間内に設置されるため、銃の内管Ａを異なる銃に設置する場合、銃の形状により制限されてしまう。
このため、いかに上述の欠点を排除するかが、本考案が解決する技術的課題である。
【考案の開示】
【考案が解決しようとする課題】
【０００４】
本考案の目的は、多段式に伸縮する内管構造を備え、各種の銃の形状に組み合わせることができ、銃内部の空間を節約し、銃の形状上の制限を受けにくい銃のレバー内管伸縮構造を提供することにある。
【課題を解決するための手段】
【０００５】
本考案は主にレバーつまみ、弾性外管、伸縮内管、突起柱体、座体、銃身保護蓋、安全装置、調整装置から構成され、そのうち、該レバーつまみは固定栓及びバネにより弾性外管の嵌設槽内に設置され、且つ、該レバーつまみは、銃身のスライド槽を通過して穿置され、弾性外管を後方へ引いたとき該スライド槽の固定部内に固定することができ、該弾性外管内に伸縮内管を設け、且つ、該伸縮内管の両側に支持体を設け、そのうち１つの支持体上にさらに該銃身保護蓋を固定するバネを設置し、該伸縮内管内にさらに突起柱体と座体を設置し、該銃身保護蓋に該安全装置に設けたフック部に対応する掛止槽を設け、且つ、該銃身保護蓋内にさらに調整装置を設置し、該調整装置上に弾道を調整するための調整スイッチを設けたことを特徴とする。
【考案の効果】
【０００６】
本考案の進歩性と実用性をよりはっきりと示すため、以下、従来品と比較して分析する。
《従来品の欠点》
一、内管を入れるための収容槽を設ける必要がある。
二、内部の空間を占拠する必要がある。
三、銃の形状上の制限を受けやすい。
四、進歩性と実用性に欠ける。
【０００７】
《本考案の利点》
一、多段式に伸縮する内管構造を備えている。
二、各種の銃の形状に組み合わせることができる。
三、銃内部の空間を節約できる
四、銃の形状上の制限を受けにくい。
五、進歩性と実用性を備えている。
六、産業的競争力を向上できる。
【考案を実施するための最良の形態】
【０００８】
本考案について、以下、図面と実施例に基づき詳細に説明する。本考案のレバー内管伸縮構造は、図３、図４、図５に示すように、内管ＢがレバーつまみＣ、弾性外管Ｄ、伸縮内管Ｅ、座体Ｆ、銃身保護蓋Ｇ、安全装置Ｈ、調整装置Ｉから構成される。
【０００９】
そのうち、レバーつまみＣは固定栓Ｃ１及びバネＣ２により弾性外管Ｄの嵌設槽Ｄ１内に設置され、且つ、この嵌設槽Ｄ１は内部に固定栓Ｃ１を固定するための円孔Ｃ３を備えている。
【００１０】
また、レバーつまみＣは、銃身のスライド槽Ｃ４を通過して穿置され、弾性外管Ｄを後方へ引いたとき、レバーつまみＣをスライド槽Ｃ４の固定部Ｃ５内に固定することができる。
【００１１】
弾性外管Ｄ内に伸縮自在のバネＤ２を設置し、且つ、このバネＤ２はさらに伸縮内管Ｅに接し、この伸縮内管Ｅの両側に支持体Ｅ１を設け、そのうち１つの支持体Ｅ１上にさらに銃身保護蓋Ｇを固定するバネＧ１が設置される。
【００１２】
また、この伸縮内管Ｅ内に伸縮自在のバネＥ２を設置し、且つ、このバネＥ２は突起柱体Ｆ１及び座体Ｆに接し、弾性外管Ｄ、伸縮内管Ｅ、突起柱体Ｆ１、座体Ｆが多段式に伸縮する内管Ｂを形成する。
【００１３】
該銃身保護蓋Ｇは伸縮内管Ｅと座体Ｆ間に設置され、且つ、この銃身保護蓋Ｇは掛止槽Ｇ２を備え、この掛止槽Ｇ２は安全装置Ｈのフック部Ｈ１に対応して設けられ、上述の弾性外管Ｄに伸縮内管Ｅを入れると、銃身保護蓋Ｇが同時に後方へ移動され、銃身保護蓋Ｇ内に設置された調整装置Ｉが外部に露出し、この調整装置Ｉ上の調整スイッチＩ１で使用者が銃弾発射時の弾道を調整することができる。
【００１４】
本考案の実施方法を図６、図７、図８に示す。本考案を使用するときは、弾性外管Ｄに設けたレバーつまみＣを後方へ引くと、このレバーつまみＣが銃身上のスライド槽Ｃ４内部で移動し、この弾性外管Ｄに連結されたレバーつまみＣは同時にスライド槽Ｃ４に設けた固定部Ｃ５内に固定することができ、また、このレバーつまみＣをスライド槽Ｃ４の固定部Ｃ５に固定すると、内部の伸縮内管Ｅが同時に移動して弾性外管Ｄの内部に入り、上述の構造における第一段階の伸縮動作が完了する。
【００１５】
さらに、弾性外管Ｄと伸縮内管Ｅがこの第一段階の伸縮動作を完了すると、伸縮内管Ｅ内部に設置されたバネＥ２が同時に突起柱体Ｆ１と座体Ｆ間に向かって移動し、伸縮内管Ｅ、突起柱体Ｆ１と座体Ｆ間で第二段階の伸縮動作が完了する。
【００１６】
伸縮内管Ｅ内部に設置されたバネＥ２が突起柱体Ｆ１と座体Ｆまで移動すると、銃内部に設置された銃身保護蓋ＧとバネＧ１が同時に後方へ移動され、該銃身保護蓋Ｇに設けた掛止槽Ｇ２が該安全装置Ｈに設けたフック部Ｈ１に対応し、上述の伸縮内管Ｅが弾性外管Ｄの内部に入ると、銃身保護蓋Ｇが同時に後方へ移動され、銃身保護蓋Ｇ内に設置された調整装置Ｉが外部に露出されて、この調整装置Ｉ上の調整スイッチＩ１で使用者が銃弾発射時の弾道を調整することができる。
【００１７】
以上で述べた説明は本考案の最良の実施例に基づくものであり、本考案の特許の範囲を制限するものではなく、本考案の明細書及び図面の内容に基づき同等効果を得る構造を、直接的または間接的にその他関連技術領域に応用したものはすべて、本考案の要旨の範囲に含まれるものとみなす。
【００１８】
上述のように、本考案は従来技術を打破する構造の下、確実に目的とする効果を得ることができ、且つ、この技術を熟知した者でなくとも容易に理解することができ、さらに、本考案はその出願以前に公開されたことがなく、その進歩性、実用性は実用新案登録出願の要件を満たしているため、法に基づきここに実用新案登録を出願するものである。
【図面の簡単な説明】
【００１９】
【図１】従来品の立体分解図である。
【図２】従来品の動作を示す立体斜視図である。
【図３】本考案の立体斜視図である。
【図４】本考案の立体分解図である。
【図５】本考案の部分構造を示す立体図である。
【図６】本考案の動作を示す立体斜視図である。
【図７】本考案の実施状態を示す立体斜視図である。
【図８】本考案の実施状態を示す立体分解図である。
【符号の説明】
【００２０】
Ａ        内管                  
Ａ１      レバー                  
Ａ２      嵌設槽                
Ａ３      バネ                  
Ａ４      座体                  
Ａ５      滑動槽                  
Ａ６      収容槽                
Ｂ        内管                  
Ｃ        レバーつまみ                
Ｃ１      固定柱                
Ｃ２      バネ                  
Ｃ３      円孔                  
Ｃ４      スライド槽                
Ｃ５      固定部                
Ｄ        弾性外管              
Ｄ１      嵌設槽                
Ｄ２      バネ                  
Ｅ        伸縮内管              
Ｅ１      支持体                  
Ｅ２      バネ                  
Ｆ        座体                  
Ｆ１      突起柱体                  
Ｇ        銃身保護蓋              
Ｇ１      バネ                  
Ｇ２      掛止槽                  
Ｈ        安全装置                
Ｈ１      フック部                  
Ｉ          調整装置              
Ｉ１        調整スイッチ
【図１】
0003114713.tif 000003
【図２】
0003114713.tif 000004
【図３】
0003114713.tif 000005
【図４】
0003114713.tif 000006
【図５】
0003114713.tif 000007
【図６】
0003114713.tif 000008
【図７】
0003114713.tif 000009
【図８】
0003114713.tif 000010